(57)【特許請求の範囲】
【請求項１】
コンセントのカバー（３ｂ，３ｃ）の表面におけるコンセントの一対の穴（３ａ）の間にある部位の上方部位に、プラグ（９，１５，１５ａ）の一対の差込金具の内間隔より若干狭い幅の凸形の第１プラグ誘導装置（１１，１６）を備え、前記第１プラグ誘導装置（１１，１６）は、上下方向の中間部で凸高さが低くなる２段のカマボコ型の加工を行ったコンセントのプラグ誘導装置。
【請求項２】
前記第１プラグ誘導装置（１１，１６）の上側の先端は、山形加工した請求項１に記載のコンセントのプラグ誘導装置。
【請求項３】
前記第１プラグ誘導装置（１６）の上端部をピン支持して下端部を前後可動に構成し、前記コンセントのカバー（３ｃ）の表面に前記第１プラグ誘導装置（１６）の下端部を収納できる収納溝（２４）を備えた請求項１又は２に記載のコンセントのプラグ誘導装置。
【請求項４】
前記第１プラグ誘導装置（１６）の前への運動にはバネを使用した請求項３に記載のコンセントのプラグ誘導装置。
【請求項５】
前記コンセントのカバー（３ｃ）の表面における前記第１プラグ誘導装置（１１）に対し左右の部位に、上下方向に延びて前記一対の穴（３ａ）へ連続する一対の溝（１３ａ，１３ｂ，１３ｃ）からなる第２プラグ誘導装置を備えた請求項１〜４のいずれか一項に記載のコンセントのプラグ誘導装置。
【請求項６】
前記第２プラグ誘導装置の溝（１３ａ，１３ｂ，１３ｃ）は、上部（１３ａ〜１３ｂ）よりも下部（１３ｂ〜１３ｃ）が深い２段の溝である請求項５に記載のコンセントのプラグ誘導装置。
【発明の詳細な説明】
【技術分野】
【０００１】
この発明は埋め込みコンセントにプラグを誘導するプラグ誘導装置の技術である。
【背景技術】
【０００２】
通常コンセントは建屋の室の隅または廊下の壁に、取り付けられる。特許文献１は、コンセントの表面に被覆を取り付けた物を参考に示す。
【先行技術文献】
【特許文献】
【０００３】
【特許文献１】特開２００５−２３５７４５号公報
【発明の開示】
【発明が解決しようとする課題】
【０００４】
図１〜図４に示すように、一般に埋め込みコンセント周辺には家具等が隙間いっぱいに配置されている為、奥が深く暗い為、狭い隙間いっぱいに手を伸ばし、体をひねりながらコンセントの穴をめがけて、手さぐりの状態でプラグに差し込みを行っていた。この穴が小さい為、手に隠れてなかなか入いらないといった問題があった。
【０００５】
またプラグの金具を指先で持ち、その指先でコンセントの穴をさがし当て差込を行う、その際プラグの金具に手が触れている為感電しやすい状態にあり危険でもあった。
【課題を解決するための手段】
【０００６】
上記課題を解決するため、本発明のコンセントのプラグ誘導装置は、コンセントのカバーの表面におけるコンセントの一対の穴の間にある部位の上方部位に、プラグの一対の差込金具の内間隔より若干狭い幅の凸形の第１プラグ誘導装置を備え、前記第１プラグ誘導装置は、上下方向の中間部で凸高さが低くなる２段のカマボコ型の加工を行った物である。
また、前記第１プラグ誘導装置の上側の先端は、山形加工していることが好ましい。
また、前記第１プラグ誘導装置の上端部をピン支持して下端部を前後可動に構成し、前記コンセントのカバーの表面に前記第１プラグ誘導装置の下端部を収納できる収納溝を備えていることが好ましい。
また、前記第１プラグ誘導装置の前への運動にはバネを使用していることが好ましい。
また、前記コンセントのカバーの表面における前記第１プラグ誘導装置に対し左右の部位に、上下方向に延びて前記一対の穴へ連続する一対の溝からなる第２プラグ誘導装置を備えていることが好ましい。
また、前記第２プラグ誘導装置の溝は、上部よりも下部が深い２段の溝であることが好ましい。
【発明の効果】
【０００７】
これにより家具等が配置された狭い、奥の深い、暗い所のコンセント穴に、高齢者や、目の不自由な人、子供でも手が入る隙間があれば容易にプラグを差し込むことができ、人に優しいコンセントプラグ誘導装置が提供できる。
【図面の簡単な説明】
【０００８】
【図１】一般的な平面図および正面図
【図２】現状の埋め込みコンセント周辺の斜視図
【図３】プラグを持つ指の位置斜視図
【図４】プラグを持つ指の位置斜視図
【図５】化粧カバーに第１プラグ誘導装置を取付けた斜視図［実施例１］
【図６】プラグ誘導装置の視図Ａ−Ａ
【図７】コンセントカバーに第２誘導装置の溝を入れた斜視図
【図８】図７の溝の深さ視図Ａ−Ａ
【図９】化粧カバーとコンセントカバーの組み合わせ斜視図
【図１０】プラグを第１プラグ誘導装置に引っ掛け差し込む迄の斜視図
【図１１】第１プラグ誘導装置を取り付けた正面図
【図１２】第１プラグ誘導装置を取り付けた斜視図
【図１３】プラグ誘導装置を使用しコンセントに差し込んだ斜視図
【図１４】各プラグの変化寸法を示す側面図［実施例２］
【図１５】プラグ誘導装置を示す側面図および平面図
【図１６】プラグ誘導装置を示す側面図
【図１７】プラグ誘導装置を示す側面図および平面図
【発明を実施するための形態】
【０００９】
以下この発明の各実施の形態を図５〜図１７（実施例１は図５〜図１３、実施例２は図１４〜図１７）に基づいて説明する。各図において同一または相当の部材部位については同一符号を付いて説明。
【実施例１】
【００１０】
第１プラグ誘導装置１１は、図５，図６，図９〜図１３に示すように、プラグ９の一対の差込金具９ａ，９ａの内間隙寸法に合わせ（すなわち、該一対の差込金具９ａ，９ａの内間隔より若干狭い幅で）、先端は山形１１ａで、上下方向の中間部で凸高さが低くなる２段のカマボコ型１１ｂの加工を行った。そして、化粧カバー３ｂ上に裏側よりネジ１２で取付けて、コンセントの一対の穴３ａ，３ａの間にある部位の上方部位に取り付けた。コンセントカバー３ｃは図７斜視図で断面Ａ−Ａを図８に示す。
図７〜図１２に示す１３ａ-１３ｂ-１３ｃ，１３ａ-１３ｂ-１３ｃは第２プラグ誘導装置の一対の溝の溝加工で、図９〜図１２に示すように、第１プラグ誘導装置１１に対し左右の部位で上下方向に延びてコンセントの一対の穴３ａ，３ａへ連続しており、図８に示すように、上部の溝深さ１３ａ〜１３ｂよりも下部の溝深さ１３ｂ〜１３ｃの方が深い２段の溝となっている。図９のように化粧カバー３ｂとコンセントカバー３ｃを組みあわせる。
【００１１】
図１０は実施の形態１を示す斜視図である。プラグ９を指１０ａで持ち第１プラグ誘導装置１１の先端の山形１１ａに引っ掛けそのまま下へ移動し第２プラグ誘導装置の溝に沿って１４ａの如くコンセントの一対の穴３ａ，３ａにプラグ９の一対の差込金具９ａ，９ａを強く差し込む。
【００１２】
図１１，図１２は第１プラグ誘導装置１１を樹脂で形成し化粧カバー３ｂに取付けた物である。図１３はプラグ誘導装置を利用しプラグ９を差し込み完了した図である。
【００１３】
この発明は以上説明したように構成されているので、家具等の隙間の狭い、奥の深い所、照明の暗い所、目の不自由な人、体の不自由な人、子供でも安心安全は元より人に優しい誘導装置が提供できる。又、手に触れても安心で使い易い第１プラグ誘導装置１１は２段のカマボコ型に成形した。
【実施例２】
【００１４】
図１４はプラグ１５，１５ａの寸法の種類の変化の側面図、図１５〜図１７は実施の形態２を示す図面である。図１６は、化粧カバー３ｂ上の第１プラグ誘導装置１６とコンセントとプラグ１５の断面図である。
【００１５】
図１５は、化粧カバー３ｂの中央の第１プラグ誘導装置１６に１７ａのピンと１８のバネを備え、そのピン１７ａで第１プラグ誘導装置１６の上端部をピン支持して下端部を前後可動に構成したものである。
【００１６】
これより、図１４に示す２つのコンセントプラグ２２ａ，２２ｂの寸法が異なる為、第１プラグ誘導装置１６の先端２３ａ，２３ｂ（下端部）を、コンセントカバー３ｃにもうけた収納溝２４に収納させた。 又、第１プラグ誘導装置１６の下端部の前後運動（図１５〜図１７でみると上下運動）には、バネ１８を使用し、コンセントプラグ２２ａ,２２ｂ迄の寸法の変化に対応ができるようになった。
【符号の説明】
【００１７】
1．家の壁    2．床    3．埋め込みコンセント    3a．コンセントの穴 3b．化粧カバー 3c．コンセントカバー    4．ラック    5．テレビ    6．サイドボード    7．キャビネット    8．隙間    9．プラグ    9a．プラグ金具    10a,10b．指の位置    11．第１プラグ誘導装置    12．固定ネジ    13a．第２プラグ誘導装置の溝の上端部の溝深さ    13b．第２プラグ誘導装置の溝の上下方向中間部の溝深さ 13c．第２プラグ誘導装置の溝の下端部の溝深さ    13d．長手方向溝    14．移動方向    14a．差込む    15,15a．プラグ    16．第１プラグ誘導装置    17．第１プラグ誘導装置取付け突起物    17a．ピン    18．バネ    19．ネジ    20a,20b．メクラ穴    21．プラグ移動    22a．プラグ寸法3mm    22b．プラグ寸法7mm    23a,23b．第１プラグ誘導装置先端部の位置    24．コンセントカバーの収納溝
【図１】
0005049324.tif 000002
【図２】
0005049324.tif 000003
【図３】
0005049324.tif 000004
【図４】
0005049324.tif 000005
【図５】
0005049324.tif 000006
【図６】
0005049324.tif 000007
【図７】
0005049324.tif 000008
【図８】
0005049324.tif 000009
【図９】
0005049324.tif 000010
【図１０】
0005049324.tif 000011
【図１１】
0005049324.tif 000012
【図１２】
0005049324.tif 000013
【図１３】
0005049324.tif 000014
【図１４】
0005049324.tif 000015
【図１５】
0005049324.tif 000016
【図１６】
0005049324.tif 000017
【図１７】
0005049324.tif 000018